(57)【要約】      （修正有）【課題】防湿効果が高いため乾燥し、全体的に見た目が良い、分離式トイレブラシホルダーを提供する。【解決手段】分離式トイレブラシホルダーは、トイレブラシホルダー２を備える。トイレブラシホルダー２は、着脱可能収容槽２１及びベース２２から構成されてなり、壁面上に掛けるか床に置いて使用される。着脱可能収容槽２１は、収容部２１１及び下向きのコ字状ロッド２１２を有する。ベース２２は中空容器であり、着脱可能収容槽２１が嵌設される。ベース２２内には、端縁に凹溝が内方に形成され、頂面に下向きのコ字状孔２２２が形成され、着脱可能収容槽２１の後端の挿入片２１２１が下向きのコ字状孔２２２の側片上に挿設されてトイレブラシホルダー２が構成される。【選択図】図３
0003228346.tif 000002
【実用新案登録請求の範囲】
【請求項１】
トイレブラシホルダーを備えた、分離式トイレブラシホルダーであって、
前記トイレブラシホルダーは、着脱可能収容槽及びベースから構成されてなり、壁面上に掛けるか床に置いて使用され、
前記着脱可能収容槽は、収容部及び下向きのコ字状ロッドを有し、前記収容部の枠縁には、後方へ延びる係合円環片が延設され、前記係合円環片は、前記ベースの端縁に対応するとともに、前記下向きのコ字状ロッドの後部には挿入片が延設され、前記ベース上には、前記着脱可能収容槽が嵌設され、
前記ベースは中空容器であり、前記着脱可能収容槽が嵌設され、前記ベース内には、端縁に凹溝が内方に形成され、頂面に下向きのコ字状孔が形成され、前記着脱可能収容槽の後端の前記挿入片が前記下向きのコ字状孔の側片上に挿設されて前記トイレブラシホルダーが構成され、
前記ベースの後側には、前記ベースを壁面上に固設するための位置決め部材が設けられ、
前記ベースの底面には、前記トイレブラシホルダーを床に置いたときに安定するように、滑り止めブロックが設けられていることを特徴とする、分離式トイレブラシホルダー。
【請求項２】
前記トイレブラシホルダーの前記下向きのコ字状ロッドは、ブラシに当接され、
前記ブラシの把持部は、下段部が内方向へかけて小さくなっており、前記把持部は上が広く下が狭く、ストッパ部が成形され、
前記ストッパ部は、前記トイレブラシホルダーの前記下向きのコ字状ロッド上に対応して接続されることを特徴とする請求項１に記載の分離式トイレブラシホルダー。
【請求項３】
前記ブラシは、円状柄であり、
前記円状柄の下段部には、前記下向きのコ字状ロッド上に当接される位置決めリングが設けられていることを特徴とする請求項２に記載の分離式トイレブラシホルダー。
【考案の詳細な説明】
【技術分野】
【０００１】
本考案は、分離機トイレブラシホルダーに関するものである。
【背景技術】
【０００２】
図１は、従来のトイレブラシホルダーの固定座を示す分解斜視図である。図１に示すように、固定座１０は、円錐状であり、開口を有する収容空間１０１を内設し、ブラシ１１のブラシヘッド１１１を収容空間１０１に収容し（図２を参照する）、固定座１０の頂端面には、嵌挿孔１０２が形成され、それはブラシ１１を係入させて固着させることができるように内から外方向へかけて小さくなっている。固定座１０を底板１０３に嵌入させて固定座１０の底部を安定させることができるため、地面又は平面な場所に設置することができる。ブラシ１１の中段部の適切な箇所には、環状凸部１１２が設けられ、その外径が固定座１０の収容空間１０１より大きいため、ブラシ１１を固定座１０上に固定させることができる。
【０００３】
固定座１０は、ブラシ１１を収納することができるが、底板１０３に結合しなければ安定させることはできなかった。そのため、部材が多くて包装の際に手間がかかり、高コストであった。特に、収容空間１０１内に水が溜まりやすく、一定時間経つと固定座１０が臭い出し、最悪の場合、悪臭を発するようになる上、床に置くと広いスペースを取り、その底板１０３が湿気って汚れてしまい、トイレが不衛生となりやすかった。
【考案の概要】
【考案が解決しようとする課題】
【０００４】
本考案の目的は、着脱可能収容槽を取り外してそれだけを清掃することができるため、着脱可能収容槽を清潔で乾燥した状態にすることができる上、トイレブラシホルダーを壁面上に取付けるか床に置くことができ、防湿効果が高いため乾燥し、全体的に見た目が良い、分離式トイレブラシホルダーを提供することにある。
【課題を解決するための手段】
【０００５】
上記課題を解決するために、本考案の第１の形態によれば、トイレブラシホルダーを備えた、分離式トイレブラシホルダーであって、前記トイレブラシホルダーは、着脱可能収容槽及びベースから構成されてなり、壁面上に掛けるか床に置いて使用され、前記着脱可能収容槽は、収容部及び下向きのコ字状ロッドを有し、前記収容部の枠縁には、後方へ延びる係合円環片が延設され、前記係合円環片は、前記ベースの端縁に対応するとともに、前記下向きのコ字状ロッドの後部には挿入片が延設され、前記ベース上には、前記着脱可能収容槽が嵌設され、前記ベースは中空容器であり、前記着脱可能収容槽が嵌設され、前記ベース内には、端縁に凹溝が内方に形成され、頂面に下向きのコ字状孔が形成され、前記着脱可能収容槽の後端の前記挿入片が前記下向きのコ字状孔の側片上に挿設されて前記トイレブラシホルダーが構成され、前記ベースの後側には、前記ベースを壁面上に固設するための位置決め部材が設けられ、前記ベースの底面には、前記トイレブラシホルダーを床に置いたときに安定するように、滑り止めブロックが設けられていることを特徴とする、分離式トイレブラシホルダーを提供する。
【図面の簡単な説明】
【０００６】
【図１】従来の固定座を示す分解斜視図である。
【図２】従来の固定座の使用状態の説明図である。
【図３】本考案の一実施形態に係る分離式トイレブラシホルダーを示す分解斜視図である。
【図４】本考案の一実施形態に係る分離式トイレブラシホルダーを組み合わせるときの状態を示す説明図である。
【図５】本考案の一実施形態に係る分離式トイレブラシホルダーを示す斜視図である。
【図６】本考案の一実施形態に係る分離式トイレブラシホルダーの位置決め部材の使用状態の説明図である。
【図７】本考案の一実施形態に係る分離式トイレブラシホルダーを壁面に掛けたときの状態を示す断面図である。
【図８】本考案の一実施形態に係る分離式トイレブラシホルダーを壁面に掛けたときの状態を示す斜視図である。
【図９】本考案の一実施形態に係る分離式トイレブラシホルダーの着脱可能収容槽を清掃する状態を示す説明図である。
【図１０】本考案の一実施形態に係る分離式トイレブラシホルダーを床に置いた状態を示す断面図である。
【図１１】本考案の一実施形態に係る分離式トイレブラシホルダーにブラシを置く状態を示す説明図である。
【図１２】本考案の一実施形態に係る分離式トイレブラシホルダーにブラシを置く状態を示す部分拡大図である。
【図１３】本考案の一実施形態に係る分離式トイレブラシホルダーに円状柄のブラシを置く状態を示す斜視図である。
【考案を実施するための形態】
【０００７】
図３及び図４を参照する。図３及び図４に示すように、本考案の一実施形態に係る分離式トイレブラシホルダーは、トイレブラシホルダー２を含む。トイレブラシホルダー２は、着脱可能収容槽２１及びベース２２から構成されてなる。着脱可能収容槽２１は、収容部２１１及び下向きのコ字状ロッド２１２を有し、収容部２１１の枠縁には、後方へ延びる係合円環片２１１１が延設される。係合円環片２１１１は、ベース２２の端縁に対応するとともに、下向きのコ字状ロッド２１２の後方には、挿入片２１２１が延び、着脱可能収容槽２１をベース２２上に嵌設させ、ベース２２は中空容器であり、着脱可能収容槽２１が嵌設され、ベース２２内の端縁には、着脱可能収容槽２１を嵌設させる凹溝２２１が内方に形成され、下向きのコ字状孔２２２が頂面に形成され、着脱可能収容槽２１の後端の挿入片２１２１は、下向きのコ字状孔２２２の側片２２２１に挿設され、着脱可能収容槽２１をベース２２内に嵌設させると、トイレブラシホルダー２が組立てられる（図５を参照する）。ベース２２を壁面３に固定させるために、ベース２２の後側には位置決め部材２２３が設けられる（図示せず）。
【０００８】
実際に組立てるとき、着脱可能収容槽２１の係合円環片２１１１がベース２２内の端縁の凹溝２２１に対応し、僅かに力を加えて押下げると、着脱可能収容槽２１の係合円環片２１１１がベース２２の凹溝２２１内に係合されるとともに、着脱可能収容槽２１の後端の挿入片２１２１が下向きのコ字状孔２２２の側片２２２１上に同時に挿設されると、着脱可能収容槽２１をベース２２内に嵌設させることができる。
【０００９】
実際に使用するときは、図６及び図７に示すように、ベース２２の位置決め部材２２３を連結部材３１上に掛け、連結部材３１は、壁面３上に粘着されていたため、連結部材３１によりベース２２を壁面３上に固定させると（図８を参照する）、ブラシ４をトイレブラシホルダー２の着脱可能収容槽２１内に置いてトイレブラシホルダー２が床から離れるため、乾燥した状態に維持して湿気を防ぎ、ブラシ４が収納し易い上、スペースを取らない。
【００１０】
図９を併せて参照する。図９に示すように、一定時間使用した後、トイレブラシホルダー２の着脱可能収容槽２１内に汚れが残ってしまい、異臭が生じることがあった。このときに着脱可能収容槽２１をベース２２から取出し、着脱可能収容槽２１だけを洗浄し、洗浄後に着脱可能収容槽２１をベース２２内に嵌入することができる場合、トイレ内の清潔度、衛生及び見た目を維持することができる。また、ベース２２の底面には、滑り止めブロック２２４が設けられ、トイレブラシホルダー２を床３２に置くと、滑り止めブロック２２４によりトイレブラシホルダー２を位置決めすることができるため（図１０を参照する）、理想的に使用できる。
【００１１】
図１１及び図１２を参照する。図１１及び図１２に示すように、ブラシ４の把持部４１の下段部は、内方向へかけて小さくなっており、把持部４１は上が広く下が狭く、ストッパ部４１１が成形されている。ストッパ部４１１をトイレブラシホルダー２の下向きのコ字状ロッド２１２の頂縁に対応させ、ブラシ４を下向きのコ字状ロッド２１２上に当接させることができるため、揺れを防ぐことができ、トイレブラシホルダー２を円状柄４２に適用させることができ（図１３を参照する）、円状柄４２の下段部には、下向きのコ字状ロッド２１２上に当接させることができる位置決めリング４２１が設けられているため、簡便に収納することができる。
【００１２】
上述したことから分かるように、本考案の分離式トイレブラシホルダーは、着脱可能収容槽を取り外してそれだけを清掃することができるため、着脱可能収容槽を清潔で乾燥した状態にすることができる上、トイレブラシホルダーを壁面上に取付けるか床に置くことができ、防湿効果が高いため乾燥し、全体的に見た目が良い。
【符号の説明】
【００１３】
（従来技術）
１０  固定座
１１  ブラシ
１０１  収容空間
１０２  嵌挿孔
１０３  底板
１１１  ブラシヘッド
１１２  環状凸部
（本考案）
２  トイレブラシホルダー
３  壁面
４  ブラシ
２１  着脱可能収容槽
２２  ベース
３１  連結部材
３２  床
４１  把持部
４２  円状柄
２１１  収容部
２１２  下向きのコ字状ロッド
２２１  凹溝
２２２  下向きのコ字状孔
２２３  位置決め部材
２２４  滑り止めブロック
４１１  ストッパ部
４２１  位置決めリング
２１１１  係合円環片
２１２１  挿入片
２２２１  側片
【図１】
0003228346.tif 000003
【図２】
0003228346.tif 000004
【図３】
0003228346.tif 000005
【図４】
0003228346.tif 000006
【図５】
0003228346.tif 000007
【図６】
0003228346.tif 000008
【図７】
0003228346.tif 000009
【図８】
0003228346.tif 000010
【図９】
0003228346.tif 000011
【図１０】
0003228346.tif 000012
【図１１】
0003228346.tif 000013
【図１２】
0003228346.tif 000014
【図１３】
0003228346.tif 000015